【事件の表示】
　特願２００１−３８６７０４「印刷システムの制御方法、印刷システム、プログラム、及び記憶媒体」拒絶査定不服審判事件〔平成１４年　９月１１日出願公開、特開２００２−２５４７７４〕について、次のとおり審決する。
【結　論】
　本件審判の請求は、成り立たない。
【理　由】
１．手続の経緯
　本願は、平成１３年１２月１９日（優先権主張：平成１２年１２月２５日）の出願であって、平成１６年８月３０日付けで拒絶査定がなされ、これに対し、平成１６年１０月７日付けで拒絶査定に対する審判請求がなされるとともに、同年１１月８日付けで明細書についての手続補正がなされたものである。
　当審においてこれを審理した結果、平成２０年９月２４日付けで平成１６年１１月８日付けの手続補正を補正却下するとともに、拒絶の理由を通知したところ、請求人は平成２０年１２月１日付けで意見書及び手続補正書を提出した。
　更に、当審においてこれを審理した結果、平成２０年１２月１６日付けで拒絶の理由を通知したところ、請求人は平成２１年２月２０日付けで意見書及び手続補正書を提出した。
　
２．本願発明
　本願の請求項１に係る発明は、平成２１年２月２０日付け手続補正書の特許請求の範囲の請求項１に記載された事項により特定されるものであり、請求項１に係る発明（以下、「本願発明」という。）は、以下のとおりである。
「印刷設定としてプレゼンテーションモードを設定可能なプリンタドライバを搭載した情報処理装置と、通常印刷またはプレゼンテーション用資料と配布用資料を印刷するプレゼンテーションモード印刷が可能な印刷装置を含む印刷システムの制御方法において、
　前記情報処理装置は、
　前記プリンタドライバの印刷設定画面を介してユーザーにより設定された印刷設定に従ってジョブコマンドと印刷データからなる１つの印刷ジョブを発行するジョブ発行ステップを有し、
　前記印刷設定としてプレゼンテーションモードが設定された場合には、前記１つの印刷ジョブに含まれる前記ジョブコマンドに前記プレゼンテーションモードを指定する特定のコマンドを追加し、
追加される前記特定のコマンドは、プレゼンテーションモード印刷を指定するコマンド、配布用資料の部数を指定するコマンド、及び配布用資料のカラー設定コマンドを含み、
　前記印刷装置は、
　前記１つの印刷ジョブに含まれる前記ジョブコマンドを判断する判断ステップと、
　前記判断ステップにおける判断に従って、前記１つの印刷ジョブに含まれる前記印刷データから印刷イメージデータを生成する生成ステップとを有し、
　前記判断ステップにおいて前記ジョブコマンドにプレゼンテーションモードを指定する前記特定のコマンドを含まないと判断された場合には、前記生成ステップにおいて前記印刷データから通常印刷の印刷イメージデータを生成し、前記判断ステップにおいて前記ジョブコマンドにプレゼンテーションモードを指定する前記特定のコマンドを含むと判断された場合には、前記生成ステップにおいて前記印刷データからプレゼンテーション用資料の印刷イメージデータと配布用資料の印刷イメージデータを生成することを特徴とする印刷システムの制御方法。」
　
３．引用刊行物
　平成２０年１２月１６日付け当審の拒絶の理由に引用され、本願優先権主張日前に頒布された刊行物である特開２０００−８９９２８号公報（以下、「刊行物１」という。）には、以下の記載が図示とともにある。（前記当審の拒絶理由において、番号が誤記されたが、平成２１年２月２０日付け意見書に記載のとおり、請求人は、正確な番号が通知されたものとして意見を述べている。）
　ア．【請求項１】  上位装置からデータを入力する入力手段と、前記入力されたデータを解析して印刷出力可能な形式に展開することにより画像データを生成するデータ処理手段と、前記生成された画像データを印刷出力する出力手段とを有する出力装置において、
前記入力されたデータに、複数部数を印刷出力する指示情報が付加されているか否かを判別する指示情報判別手段と、
前記指示情報が付加されていると判別された場合に、前記入力されたデータに前記印刷出力する各部ごとに設定される出力情報が付加されているか否かを判別する出力情報判別手段と、
前記各部ごとに設定される出力情報が付加されている場合に、前記各部ごとに、前記生成された画像データを前記付加されている出力情報に基づいて印刷出力するように前記出力手段を制御する制御手段とを備えたことを特徴とする出力装置。
・・・
【請求項６】  上位装置から入力されたデータを解析し、印刷出力可能な形式に展開することにより画像データを生成し、前記生成された画像データを印刷出力する出力装置の出力制御方法において、
前記入力されたデータに、複数部数を印刷出力する指示情報が付加されているか否かを判別し、
前記指示情報が付加されていると判別された場合に、前記入力されたデータに前記印刷出力する各部ごとに設定される出力情報が付加されているか否かを判別し、
前記各部ごとに設定される出力情報が付加されている場合に、前記各部ごとに、前記生成された画像データを前記付加されている出力情報に基づいて印刷出力するように当該出力装置の動作を制御することを特徴とする出力制御方法。
・・・
【請求項８】  前記出力情報は印刷モードに関する情報を含み、
前記各部ごとに設定された印刷モードにより前記生成された画像データを印刷出力するように当該出力装置の動作を制御することを特徴とする請求項６記載の出力装置の出力制御方法。
　イ．【００１８】同図において、１５００はＬＢＰ本体であり、外部に接続されているホストコンピュータから供給される印刷情報（文字コード等）やフォーム情報あるいはマクロ命令等を入力して記憶するとともに、これらの情報に従って対応する文字パターンやフォームパターン等を作成し、記録媒体である記録紙等に像を形成する。
【００１９】１５０１は、操作のためのスイッチおよびＬＥＤ表示機等が配されている操作パネルであり、１０００はＬＢＰ本体１５００全体の制御及びホストコンピュータから供給される文字情報等を解析するプリンタ制御ユニットである。このプリンタ制御ユニット１０００は、主に文字情報を対応する文字パターンのビデオ情報に変換してレーザドライバ１５０２に出力する。レーザドライバ１５０２は、半導体レーザ１５０３を駆動するための回路であり、入力されたビデオ信号に応じて半導体レーザ１５０３から発射されるレーザ光１５０４をオン・オフ切換えする。レーザ光１５０４は回転多面鏡１５０５によって左右に振らされて静電ドラム１５０６上を走査露光する。これにより、静電ドラム１５０６上には文字パターンの静電潜像が形成されることになる。この潜像は、静電ドラム１５０６周囲に配設された現像ユニット１５０７により現像された後、記録紙に転写される。この記録紙にはカットシートが用いられ、該カットシート記録紙はＬＢＰ１５００に装着されている用紙カセット１５０８に収納され、給紙ローラ１５０９および搬送ローラ１５１１とにより装置内に取込まれて、静電ドラム１５０６に供給される。また、ＬＢＰ本体１５００には図示しない拡張用インターフェースが少なくとも１個以上備えられており、ＬＢＰは内蔵フォントに加えてオプションフォントＲＯＭ、言語系の異なる制御用ＲＯＭ（エミュレーション等）などの大容量の不揮発性記憶素子を接続できるように構成されている。
　ウ．【００２２】ホストコンピュータ３０００は、システムバス４に接続される各デバイスを総括的に制御する中央処理部（以下、「ＣＰＵ」という）１と、ＣＰＵ１の主メモリ及びワークエリア等として機能するランダムアクセスメモリ（以下、「ＲＡＭ」という）２と、フォントＲＯＭ、プログラムＲＯＭ、データＲＯＭからなるリードオンリーメモリ（以下、「ＲＯＭ」という）３と、キーボード９や不図示のポインティングデバイスからのキー入力を制御するキーボードコントローラ（ＫＢＣ）５と、ＣＲＴディスプレイ（以下、「ＣＲＴ」という）１０の表示を制御するＣＲＴコントローラ（ＣＲＴＣ）６と、ブートプログラム，種々のアプリケーション，フォントデータ，ユーザファイル，編集ファイル等を記憶するハードディスク（ＨＤ）、フロッピーディスク（ＦＤ）等の外部メモリ１１とのアクセスを制御するディスクコントローラ（ＤＫＣ）７と、所定の双方向性インタフェース（インタフェース）２１を介してＬＢＰ１５００に接続されて、プリンタ１５００との通信制御処理を実行するプリンタコントローラ（ＰＲＴＣ）８とを有する制御部２０００を有する。
　エ．【００３２】まず、ステップＳ１において、ホストコンピュータ３０００からの受信データが存在するか否かが判別される。ここで、受信データが存在しない場合はデータが受信されるまでステップＳ１の手順が繰り返される。
【００３３】ステップＳ１の判別で、受信データが存在する場合は、ステップＳ２に進み、その受信データに複数部数指定が付加されているか否かが判別され、部数指定が付加されている場合は、ステップＳ３において、Enhance Print Modeであるか否かが判別される。
【００３４】ここで、Enhance Print Modeとは、部単位で出力媒体の指示がなされている場合の印刷モードといい、上記受信データに出力媒体指示情報が付加されているか否かによってEnhance Print Modeであるか否かを判別することができる。ステップＳ３において、Enhance Print Modeである場合は、ステップＳ４のEnhance Print処理が実行される。
【００３５】また、ステップＳ２において部数指定がないと判別された場合又はステップＳ３においてEnhance Print Modeではないと判別された場合は、ステップＳ５に進み、通常印刷処理が実行される。ステップＳ４のEnhance Print処理またはステップＳ５の通常印刷処理が終了すると、再びステップＳ１の処理が行われる。
【００３６】図４は、図３のステップＳ４において行われるEnhance Print処理手順の一例を示すフローチャートである。
【００３７】まず、ステップＳ１１において、出力媒体指示情報がサーチされる。出力媒体指定情報は例えば図５に示す形式からなる。この出力媒体指定情報は、各部数それぞれに対して１つの出力媒体を指定することができる。図５の例では、１部目はＯＨＰ、２部目は厚紙、３部目は普通紙、そしてＮ部目は普通紙に印刷出力する旨が指示されている。
【００３８】次に、ステップＳ１２において、指示された出力媒体がＬＢＰ１５００によってサポート可能な出力媒体であるか否かが判別される。この判別で、ＬＢＰ１５００によってサポート可能な出力媒体である場合は、ステップＳ１３において受信データの解析処理が行われ、ステップＳ１４においてその解析データを印刷処理するための例えばビットマップ等への展開処理が行われ、その後ステップＳ１５において上記出力媒体指示情報に基づいて、指定された出力媒体への出力処理が実行される。ステップＳ１５の出力処理が終了すると、本手順は終了される。
【００３９】一方ステップＳ１２の判別で、指示された出力媒体がＬＢＰ１５００によってサポート可能な出力媒体ではない場合は、ステップＳ１６において出力媒体指示情報の変更が行なわれる。ステップＳ１６では、例えば予めＲＯＭ１３に記憶されているデフォルト値に変更される。出力媒体指示情報の変更は、ステップＳ１７において、ホストコンピュータ３０００に通知される。そして、変更後の出力媒体指示情報を用いて、ステップＳ１３〜Ｓ１５の処理が実行される。
【００４０】なお、上述した図３のステップＳ５において実行される通常印刷処理は、図４に示したステップＳ１３〜Ｓ１５の処理と同様であるので、ここでは説明を省略する。
　オ．【００４１】以上説明したように、本実施形態によれば、複数部数の出力を指定したジョブを実行する際に、その各部ごとに細かい出力指示が可能となり、本来出力装置が有する多くの機能を１ジョブ中で有効に使用することが可能となる。従って、ユーザは一度に様々なタイプの印字結果を得ることができる。例えば、ＯＨＰを使用したプレゼンテーション用の資料を作成することを考えた場合は、ＯＨＰ用の出力結果以外に、参加者に配布する資料を普通紙へ印刷出力することをも１つのジョブで実行することが可能となる。すなわち、これまではジョブ単位でなければ指示できなかった情報を各部ごとに指示することができ、その結果、ユーザの作業効率の向上を図ることができるという効果を奏する。
　カ．【００４５】まず、ステップＳ２１において、出力指示情報がサーチされる。出力指定情報は、例えば図７に示す形式からなる。この出力指定情報は、各部数それぞれに対して、出力媒体、印刷モード、出力対象ページ、及び排紙口を指定することができる。
【００４６】例えば、図７において、１部目に対しては、ＯＨＰに、片面印刷モードで、全ページを対象として印刷出力を行い、その出力結果を排紙口ＴＲＹ１に排紙する旨が指示されている。また、２部目に対しては、厚紙に、２ページ印刷モードで、全ページを対象として印刷出力を行い、その出力結果を排紙口ＴＲＹ２に排紙する旨が指示されている。また、３部目に対しては、普通紙に、４ページ印刷モードで、Ｍページ以降を対象として印刷出力を行い、その出力結果を排紙口ＴＲＹ３に出力する旨が指示されている。さらに、Ｎ部目に対しては、普通紙に、両面印刷モードで、Ｍページまでを対象として印刷出力を行い、その出力結果を排紙口ＴＲＹ５に排紙する旨が指示されている。このように、本実施形態では、第１実施形態と比較して、さらに多くの出力指示を行なうことができる。
【００４７】次に、ステップＳ２２において、指示された情報の全てを当該ＬＢＰ１５００がサポート可能であるか否かが判別される。この判別で、ＬＢＰ１５００によってサポート可能である場合は、ステップＳ２３において受信データの解析処理が行われ、ステップＳ２４においてその解析データを印刷処理するための例えばビットマップ等への展開処理が行われ、その後ステップＳ２５において上記出力指示情報に基づいて、指定された出力媒体へ、指定された印刷モードで、且つ指定された範囲のデータの出力処理が実行され、その出力結果が指定された排紙口へ排紙される。ステップＳ２５の出力処理が終了すると、本手順は終了される。
　
　上記刊行物１において、「出力媒体指示情報」及び「出力媒体指定情報」という記載があるが、いずれも同じものを意味するものと認められるから、統一して「出力媒体指示情報」として扱う。
　上記エ．の【００３５】、【００４０】の記載から、上記刊行物１のＬＢＰ本体１５００が通常印刷が可能であることは明らかであり、上記ア．〜カ．の記載から、通常印刷またはEnhance Print Mode印刷が可能なＬＢＰ本体１５００を含む印刷システムの制御方法を認識できる。
　上記エ．の記載から、刊行物１記載のホストコンピュータ３０００は、印刷設定としてEnhance Print Modeを設定可能なプリンタドライバを搭載したものと認められる。
　上記オ．の記載から、ホストコンピュータ３０００が、ユーザーにより設定された印刷設定に従って１つの印刷ジョブを発行するジョブ発行ステップを有することは明らかである。
　上記エ．の記載から、印刷設定として出力媒体指示情報を付加するとEnhance Print Modeが設定されるものと認められる。
　上記エ．の段落【００３４】、【００３５】の記載から、刊行物１記載のＬＢＰ本体１５００は、１つの印刷ジョブに出力媒体指示情報が付加されているか否かを判断する判断ステップを有しているものと認められ、上記エ．の段落【００３８】、【００４０】、上記カ．の段落【００４６】の記載から、判断ステップにおいて出力媒体指示情報が付加されていないと判断された場合には、通常印刷の印刷イメージデータを生成し、判断ステップにおいて出力媒体指示情報が付加されていると判断された場合には、該出力媒体指示情報で指定された複数種類の出力媒体それぞれに対応する印刷イメージデータを生成するものと認められるから、判断ステップにおける判断に従って、１つの印刷ジョブに含まれるデータから印刷イメージデータを生成する生成ステップを有しているものと認められる。
　よって、上記記載及び図面を含む刊行物１全体の記載から、刊行物１には、以下の発明が開示されていると認められる。
「印刷設定としてEnhance Print Modeを設定可能なプリンタドライバを搭載したホストコンピュータ３０００と、通常印刷またはEnhance Print Mode印刷が可能なＬＢＰ本体１５００を含む印刷システムの制御方法において、
　前記ホストコンピュータ３０００は、
　ユーザーにより設定された印刷設定に従って１つの印刷ジョブを発行するジョブ発行ステップを有し、
　前記印刷設定としてEnhance Print Modeを設定する出力媒体指示情報を印刷ジョブに付加できるものであって、
　前記ＬＢＰ本体１５００は、
　前記１つの印刷ジョブに出力媒体指示情報が付加されているか否かを判断する判断ステップと、
　判断ステップにおける判断に従って、１つの印刷ジョブに含まれるデータから印刷イメージデータを生成する生成ステップとを有し、
　前記判断ステップにおいて出力媒体指示情報が付加されていないと判断された場合には、前記生成ステップにおいて、通常印刷の印刷イメージデータを生成し、前記判断ステップにおいて出力媒体指示情報が付加されていると判断された場合には、前記生成ステップにおいて、出力媒体指示情報で指定された複数種類の出力媒体それぞれに対応する印刷イメージデータを生成する印刷システムの制御方法。」（以下、「引用発明」という。）
　
４．対比
　本願発明と引用発明とを比較すると、引用発明の「ホストコンピュータ３０００」及び「ＬＢＰ本体１５００」は、それぞれ本願発明の「情報処理装置」及び「印刷装置」に相当する。
　引用発明の「Enhance Print Mode」と、本願発明の「プレゼンテーションモード」とは、いずれも「特定モード」で共通する。
　引用発明は、「印刷設定としてEnhance Print Modeを設定する」もので、Enhance Print Modeの設定と出力媒体指示情報の付加が対応しているから、「印刷設定としてEnhance Print Modeが設定された場合には、１つの印刷ジョブに出力媒体指示情報を付加」しているものといえ、したがって、本願発明の「印刷設定としてプレゼンテーションモードが設定された場合には、前記１つの印刷ジョブに含まれる前記ジョブコマンドに前記プレゼンテーションモードを指定する特定のコマンドを追加」とは、いずれも「印刷設定として特定モードが設定された場合には、前記１つの印刷ジョブに特定モードを指定する情報を追加」している点で共通する。
　引用発明の「１つの印刷ジョブに出力媒体指示情報が付加されているか否かを判断する」と、本願発明の「１つの印刷ジョブに含まれる前記ジョブコマンドを判断する」とは、いずれも「１つの印刷ジョブに含まれる情報を判断する」で共通する。
　引用発明の「出力媒体指示情報で指定された複数の出力媒体それぞれに対応する印刷イメージデータ」と、本願発明の「プレゼンテーション用資料の印刷イメージデータと配布用資料の印刷イメージデータ」とは、いずれも「特定モードの印刷イメージデータ」で共通する。
　よって、両者は、
「印刷設定として特定モードを設定可能なプリンタドライバを搭載した情報処理装置と、通常印刷または特定モード印刷が可能な印刷装置を含む印刷システムの制御方法において、
　前記情報処理装置は、
　ユーザーにより設定された印刷設定に従って１つの印刷ジョブを発行するジョブ発行ステップを有し、
　印刷設定として特定モードが設定された場合には、前記１つの印刷ジョブに特定モードを指定する情報を追加し、
　前記印刷装置は、
　前記１つの印刷ジョブに含まれる情報を判断する判断ステップと、
　前記判断ステップにおける判断に従って、前記１つの印刷ジョブに含まれるデータから印刷イメージデータを生成する生成ステップとを有し、
　前記判断ステップにおいて特定モードを指定する情報を含まないと判断された場合には、前記生成ステップにおいて前記データから通常印刷の印刷イメージデータを生成し、前記判断ステップにおいて特定モードを指定する情報を含むと判断された場合には、前記生成ステップにおいて前記データから特定モードの印刷イメージデータを生成する印刷システムの制御方法。」
の点で一致し、以下の点で相違している。
［相違点１］特定モードに関し、本願発明は、「プレゼンテーション用資料と配布用資料を印刷するプレゼンテーションモード」と特定されているのに対し、引用発明は、本願発明のような特定がない点。
［相違点２］ユーザーにより設定された印刷設定に関し、本願発明は、「プリンタドライバの印刷設定画面を介して」と特定されているのに対し、引用発明は、本願発明のような特定がない点。
［相違点３］１つの印刷ジョブに関し、本願発明は、「ジョブコマンドと印刷データからなる」と特定され、「前記印刷設定としてプレゼンテーションモードが設定された場合には、前記１つの印刷ジョブに含まれる前記ジョブコマンドに前記プレゼンテーションモードを指定する特定のコマンドを追加し、追加される前記特定のコマンドは、プレゼンテーションモード印刷を指定するコマンド、配布用資料の部数を指定するコマンド、及び配布用資料のカラー設定コマンドを含み」と特定されているのに対し、引用発明は、本願発明のような特定がない点。
［相違点４］印刷装置における判断ステップと生成ステップに関し、本願発明は、判断ステップについては、「前記１つの印刷ジョブに含まれる前記ジョブコマンドを判断する」と特定され、生成ステップについては、「前記判断ステップにおける判断に従って、前記１つの印刷ジョブに含まれる前記印刷データから印刷イメージデータを生成する生成ステップとを有し、前記判断ステップにおいて前記ジョブコマンドにプレゼンテーションモードを指定する前記特定のコマンドを含まないと判断された場合には、前記生成ステップにおいて前記印刷データから通常印刷の印刷イメージデータを生成し、前記判断ステップにおいて前記ジョブコマンドにプレゼンテーションモードを指定する前記特定のコマンドを含むと判断された場合には、前記生成ステップにおいて前記印刷データからプレゼンテーション用資料の印刷イメージデータと配布用資料の印刷イメージデータを生成する」と特定されているのに対し、引用発明は、本願発明のような特定がない点。
　
５．判断
　上記相違点１について検討する。
　プリンタという技術分野において、印刷に関する「モード」とは、通常、目的や用途に応じて、所定の印刷設定がなされた状態をいう。
　そして、よく使用する目的や用途にあわせて「モード」を設定することは、当業者であれば適宜なし得る設計事項である。
　ここで、刊行物１のオ．の段落【００４１】に「ＯＨＰを使用したプレゼンテーション用の資料を作成することを考えた場合は、ＯＨＰ用の出力結果以外に、参加者に配布する資料を普通紙へ印刷出力することをも１つのジョブで実行する」と記載されている。してみると、刊行物１において、前記プレゼンテーション用資料と配布用資料との両方を印刷する作業は、Enhance Print Modeの１つの代表的な例として挙げられているものであるが、このような作業がよく行われるものであることを考慮して、プレゼンテーション用資料と配布用資料を１つのジョブとして印刷する印刷設定を「モード」として設定し、相違点１に特定されるようにすることは、当業者が容易になし得る程度のことである。
　
　上記相違点２について検討する。
　平成２０年１２月１６日付け当審の拒絶の理由で示した特開平１０−３２２４８７号公報（以下、「刊行物２」という。特に、段落【００５３】、【００５４】、【図６】参照。）には、プリンタドライバの印刷設定画面を介して印刷設定することが記載されているから、引用発明の印刷設定に該事項を適用し、相違点２に特定されるようにすることは、当業者が容易になし得る程度のことである。
　
　上記相違点３について検討する。
　情報処理装置と印刷装置との間で、１つの印刷ジョブを送信する場合、ジョブコマンドと印刷データからなる１つの印刷ジョブを送信することは、平成２０年１２月１６日付け当審の拒絶の理由で示した特開平１１−１４３６６８号公報（以下、「刊行物３」という。特に、段落【００６３】、【図１０】参照。）に記載されているように通常行われていることであり、プリンタの使用コストを考慮して、カラー設定情報を情報処理装置から印刷装置に送信することも刊行物３に記載されている（段落【００２１】、【００８２】、【００８２】〜【００８３】参照。）。また、モード印刷を指定するコマンドを情報処理装置から印刷装置に送信することは周知技術（特開平４−３３８０４９号公報、特開平６−１４３７３１号公報参照。）である。
　相違点１で既に検討したように、引用発明において、プレゼンテーション用資料と配布用資料を印刷するプレゼンテーションモードを採用することが想到容易であるから、印刷設定としてプレゼンテーションモードが設定された場合には、情報処理装置から印刷装置に送信する情報として、プレゼンテーションモード以外の印刷を行う作業と区別するためにプレゼンテーションモードを指定する情報を要し、また、刊行物１のエ．の段落【００３７】、カ．の段落【００４６】にも示されているように、通常、配布用資料は、プレゼンテーション用資料とは異なり、複数の部数を要するから、配布用資料の部数を指定する情報を要し、さらに、刊行物３に記載のようにプリンタの使用コストを考慮すると、複数の部数を要する配布用資料のカラー設定情報を情報処理装置から印刷装置に送信しようとすることは、当業者が容易に想到し得ることである。
　そして、引用発明の情報処理装置から印刷装置に送信する１つの印刷ジョブの形式として、上記刊行物３に記載のようなジョブコマンドと印刷データからなるものを採用すれば、プレゼンテーションモードが設定された場合に追加すべき情報は、コマンド化されることとなり、プレゼンテーションモード印刷を指定するコマンド、配布用資料の部数を指定するコマンド、及び配布用資料のカラー設定コマンドを含んだプレゼンテーションモードを指定する特定のコマンドをジョブコマンドに追加し、相違点３に特定されるようにすることは、当業者が容易になし得る程度のことである。
　
　上記相違点４について検討する。
　既に上記相違点３で検討したように、情報処理装置から送信される１つの印刷ジョブが「ジョブコマンドと印刷データからなる」ものであり、「前記印刷設定としてプレゼンテーションモードが設定された場合には、前記１つの印刷ジョブに含まれる前記ジョブコマンドに前記プレゼンテーションモードを指定する特定のコマンドを追加し、追加される前記特定のコマンドは、プレゼンテーションモード印刷を指定するコマンド、配布用資料の部数を指定するコマンド、及び配布用資料のカラー設定コマンドを含」むものであることが想到容易である以上、１つの印刷ジョブを受信する印刷装置における判断ステップにおいて、「前記１つの印刷ジョブに含まれる前記ジョブコマンドを判断する」ことは当然のことであり、生成ステップにおいて、「前記判断ステップにおける判断に従って、前記１つの印刷ジョブに含まれる前記印刷データから印刷イメージデータを生成する生成ステップとを有し、前記判断ステップにおいて前記ジョブコマンドにプレゼンテーションモードを指定する前記特定のコマンドを含まないと判断された場合には、前記生成ステップにおいて前記印刷データから通常印刷の印刷イメージデータを生成し、前記判断ステップにおいて前記ジョブコマンドにプレゼンテーションモードを指定する前記特定のコマンドを含むと判断された場合には、前記生成ステップにおいて前記印刷データからプレゼンテーション用資料の印刷イメージデータと配布用資料の印刷イメージデータを生成する」ことは当然のことである。
　したがって、相違点４に特定されるようにすることは、当業者が容易になし得る程度のことである。
　
　以上のように、引用発明に本願発明の相違点に係る特定を備えることは、刊行物１〜３の記載に基づいて当業者が容易に想到できたことであり、係る発明特定事項を採用することによる本願発明の効果も当業者が予測できる範囲のものである。
　
６．むすび
　以上のとおり、本願発明は、本願優先権主張日前に頒布された刊行物１〜３記載の発明に基づいて、当業者が容易に発明をすることができたものであり、特許法第２９条第２項の規定により特許を受けることができないから、本願は、拒絶されるべきものである。
　よって、結論のとおり審決する。